(57)【要約】【課題】枠体を各機種間で共通化することができるパチンコ遊技機を提供すること。【解決手段】パチンコ遊技機１は，枠体２とこの枠体２に配設する遊技盤３と，枠体２の前面２０１側に開閉可能に設ける開閉扉４とを有する。遊技盤３には，開閉扉４に設けた電装部品４１と電気的に接続可能な電気的接続点３１が一体的に設けられており，この電気的接続点３１は，遊技盤３の前面３０１側に配置されている。パチンコ遊技機１は，遊技盤３を枠体２の前面２０１側より配設するタイプのものであり，枠体２は本体枠であり，開閉扉４はガラス板保持枠である。【選択図】　図１
2004024346.tif 000002
【特許請求の範囲】
【請求項１】
枠体と該枠体に配設する遊技盤と，上記枠体の前面側に開閉可能に設ける開閉扉とを有するパチンコ遊技機において，
上記遊技盤には，電装部品と電気的に接続可能な電気的接続点が一体的に設けられており，かつ該電気的接続点は，上記遊技盤の前面側に配置されていることを特徴とするパチンコ遊技機。
【請求項２】
請求項１において，上記電装部品は，上記開閉扉に設けてあることを特徴とするパチンコ遊技機。
【請求項３】
請求項１又は２において，上記電気的接続点は，上記遊技盤の前面に固定されていることを特徴とするパチンコ遊技機。
【請求項４】
請求項１又は２において，上記電気的接続点は，上記遊技盤の前面側に延ばされた電線の先端に取り付けられていることを特徴とするパチンコ遊技機。
【請求項５】
請求項１〜４のいずれか一項において，上記遊技盤の裏面側には，上記電気的接続点と接続されると共に上記電装部品の制御を行うための制御基板が一体的に設けられていることを特徴とするパチンコ遊技機。
【発明の詳細な説明】
【０００１】
【技術分野】
本発明は，枠体，遊技盤及び開閉扉を有するパチンコ遊技機に関する。
【０００２】
【従来技術】
パチンコ遊技機においては，枠体に開閉可能に設けたガラス枠等に，電飾，音響装置等の電装部品が配設されている。そして，これらの電装部品は，遊技盤の後方に設けた制御基板より上記枠体に引き出された電気的接続部に，電線を介して接続されている。
このようなパチンコ遊技機としては，例えば，特許第２９８９６０３号（従来技術１）又は特開平８−１８７３４４号公報（従来技術２）等がある。
【０００３】
上記従来技術１においては，前面枠に設けた基板取付部に，ガラス枠からの配線と遊技盤の制御基板からの配線とを中継する中継基板を配置している。そして，遊技盤において上記前面枠の基板取付部に対向する位置には切欠き部を設け，この切欠き部により上記遊技盤と上記基板取付部との干渉を避けている。
一方，上記従来技術２においては，遊技盤の後方の制御基板からの配線を，前面枠に設けた配線引出し孔を介して前面枠の前面側に引き出し，ガラス枠からの配線と接続している。
【０００４】
【解決しようとする課題】
ところで，パチンコ遊技機においては，遊技の種類に合わせて上記遊技盤及び遊技を制御する制御基板の種類が幾通りもある。そして，遊技の種類によっては，ガラス枠の電装部品の数，種類等が変わってくることがある。
しかしながら，上記従来技術１，２においては，上記ガラス枠における電装部品は，いずれも上記前面枠を介して上記遊技盤の後方に設けた制御基板に電気的に接続される。そのため，上記ガラス枠の電装部品の数，種類等の変更があったときには，上記前面枠にも変更を施す必要が生じることがある。
【０００５】
本発明は，かかる従来の問題点に鑑みてなされたもので，枠体を各機種間で共通化することができるパチンコ遊技機を提供しようとするものである。
【０００６】
【課題の解決手段】
第１の発明は，枠体と該枠体に配設する遊技盤と，上記枠体の前面側に開閉可能に設ける開閉扉とを有するパチンコ遊技機において，
上記遊技盤には，電装部品と電気的に接続可能な電気的接続点が一体的に設けられており，かつ該電気的接続点は，上記遊技盤の前面側に配置されていることを特徴とするパチンコ遊技機にある（請求項１）。
【０００７】
本発明のパチンコ遊技機においては，上記遊技盤には上記電気的接続点が一体的に設けられており，この電気的接続点は上記遊技盤の前面側に配置されている。そのため，上記電気的接続点は，上記枠体等の上記パチンコ遊技盤における本体部分を経由することなく，上記電装部品と直接接続することができる。すなわち，本発明によれば，上記遊技盤の裏面側より上記電気的接続点まで配線される電線を，上記枠体を介さずに配線することができる。そのため，上記枠体に，従来のような中継基板や配線引出し孔を設ける必要がない。
【０００８】
また，本発明においては，上記のごとく上記枠体を介さずに上記電線の配線を行っているため，上記電気的接続点の変更に伴って上記枠体を変更することは不要である。
それ故，本発明のパチンコ遊技機によれば，上記枠体を各機種間で共通化することができる。
【０００９】
【発明の実施の形態】
上述した本発明における好ましい実施の形態につき説明する。
上記枠体は，上記パチンコ遊技機における本体枠とすることができ，上記開閉扉は，上記本体枠の前面側に開閉可能に設けたガラス枠（ガラス板保持枠）とすることができる。なお，この場合のパチンコ遊技機は，上記遊技盤を上記本体枠の前面側より配設するタイプのものである。
【００１０】
また，上記枠体は，上記パチンコ遊技機の本体枠の前面側に開閉可能に設けた前面枠とすることができ，上記開閉扉は，上記前面枠の前面側に開閉可能に設けたガラス枠（ガラス板保持枠）とすることができる。なお，この場合のパチンコ遊技機は，上記遊技盤を上記前面枠の裏面側より配設するタイプのものである。
また，上記開閉扉は，上記本体枠又は上記前面枠である上記枠体の前面側に開閉可能に設けた球皿部材等の各種の開閉部材とすることもできる。
また，上記電装部品としては，電装用ランプ，チップ型ＬＥＤ等の各種の電飾，又はスピーカ等の各種の音響装置などがある。
【００１１】
また，上記電装部品は，上記開閉扉に設けてあることが好ましい（請求項２）。この場合には，上記電気的接続点は，上記枠体等の上記パチンコ遊技盤における本体部分を経由することなく，上記開閉扉に設けた電装部品と直接接続することができる。そして，この場合においても，上記電装部品の変更に伴って上記枠体を変更することは不要であり，上記枠体を各機種間で共通化することができる。
【００１２】
また，上記電気的接続点は，上記遊技盤の前面に固定されていることが好ましい（請求項３）。この場合には，上記開閉扉における電装部品からの配線は，上記遊技盤の前面側に固定した電気的接続点まで引き出すことによって，この電気的接続点と接続することができる。
【００１３】
また，上記電気的接続点は，上記遊技盤の前面側に延ばされた電線の先端に取り付けられていることもできる（請求項４）。この場合には，上記電気的接続点を，上記開閉扉における電装部品の近傍まで引き出しておくことができる。そのため，上記開閉扉の電装部品からの配線を短くすることができる。
【００１４】
また，上記遊技盤の裏面側には，上記電気的接続点と接続されると共に上記電装部品の制御を行うための制御基板が一体的に設けられていることが好ましい（請求項５）。この場合には，上記電装部品の変更と共に変更が必要となる可能性が高い部位である上記電気的接続点及び上記制御基板のいずれもが，上記遊技盤に一体的に設けてある。そのため，上記遊技盤における変更を行うのみで，上記電装部品の変更に対応することができる。
【００１５】
【実施例】
以下に，図面を用いて本発明のパチンコ遊技機にかかる実施例につき説明する。
（実施例１）
本例のパチンコ遊技機１は，図１，図２に示すごとく，枠体２とこの枠体２に配設する遊技盤３と，上記枠体２の前面２０１側に開閉可能に設ける開閉扉４とを有する。上記遊技盤３には，上記開閉扉４に設けた電装部品４１と電気的に接続可能な電気的接続点３１が一体的に設けられており，この電気的接続点３１は，上記遊技盤３の前面３０１側に配置されている。
【００１６】
以下に，これを詳説する。
図１，図２に示すごとく，本例のパチンコ遊技機１は，上記遊技盤３を上記本体枠の前面側より配設するタイプのものである。そして，上記枠体２は，上記パチンコ遊技機１における本体枠であり，上記開閉扉４は，上記本体枠の前面側に開閉可能に設けたガラス枠（ガラス板保持枠）である。
【００１７】
また，図２に示すごとく，本例の電気的接続点３１は，上記遊技盤３の前面３０１に固定されている。そして，図１に示すごとく，上記開閉扉４における電装部品４１からの配線４２１は，上記遊技盤３の前面３０１側に固定した電気的接続点３１まで引き出すことによって，この電気的接続点３１に接続されている。
また，図２に示すごとく，上記遊技盤３の裏面３０２側には，上記電気的接続点３１と接続されて上記開閉扉４の上記電装部品４１の制御を行うと共に，上記パチンコ遊技機における遊技の制御を行う制御基板３２が一体的に設けられている。本例では，上記制御基板３２は，上記遊技盤３の裏面３０２側に設けた各種基板及び各種部品の保護をする保護カバー３３に取り付けてある。
【００１８】
本例の電気的接続点３１は，上記制御基板３２に接続された複数の電線３２１の先端部分に取り付けた中継基板３４のコネクタ接続部として，上記遊技盤３の前面３０１側に設けてある。また，本例においては，開閉扉４の裏面４０２側に設けた電装基板４２に上記電装部品４１が配設されている。本例の電装部品４１は，電装用ランプであり，上記電装基板４２に電気的に接続されている。
そして，上記電装基板４２からの配線４２１の先端に設けたコネクタ４２２は，上記中継基板３４の上記電気的接続点（コネクタ接続部）３１に接続されている。
【００１９】
また，上記遊技盤３には，上記制御基板３２からの電線３２１を遊技盤３の裏面３０２側から遊技盤３の前面３０１側に引き出すための切欠き部３５が設けてある。本例では，この切欠き部３５は，上記遊技盤３の上端部に設けてある。そして，上記中継基板３４は，上記遊技盤３の前面３０１側の上端部近傍に設けてあり，上記切欠き部３５を通した上記電線３２１により上記制御基板３２と接続されている。
【００２０】
本例のパチンコ遊技機１においては，上記電装部品４１の変更と共に変更が必要となる可能性が高い部位である上記電気的接続点３１及び上記制御基板３２のいずれもが，上記遊技盤３に一体的に設けてある。また，上記電気的接続点３１は上記遊技盤３の前面３０１に固定してある。そのため，上記電気的接続点３１は，上記枠体２等の上記パチンコ遊技盤３における本体部分を経由することなく，上記開閉扉４に設けた電装部品４１と直接接続することができる。すなわち，本例によれば，上記遊技盤３の裏面３０２側における制御基板３２より上記電気的接続点３１まで配線される電線３２１を，上記枠体２を介さずに配線することができる。そのため，上記枠体２に，従来のような中継基板や配線引出し孔を設ける必要がない。
【００２１】
そして，上記開閉扉４における電装部品４１の数，種類等の変更があったときには，上記遊技盤３に設けた電気的接続点３１又は制御基板３２の少なくとも一方を変更することによって対応することができる。そのため，上記遊技盤３における変更を行うのみで，上記電装部品４１の変更に対応することができる。
【００２２】
また，本例においては，上記のごとく上記枠体２を介さずに上記電線３２１の配線を行っているため，上記電気的接続点３１の変更に伴って上記枠体２を変更することは不要である。それ故，本発明のパチンコ遊技機１によれば，上記枠体２を各機種間で共通化することができる。これにより，同じ上記枠体２を使用して，パチンコ遊技機１の機種変更を行うことができる。
また，本例のパチンコ遊技機１においては，上記電気的接続点３１及び上記制御基板３２を設けた遊技盤３と上記開閉扉４とをセットにして変更することにより，上記機種変更に対応することもできる。
【００２３】
また，上記のごとく上記電気的接続点３１は上記遊技盤３の前面３０１に固定してある。そのため，上記開閉扉４の電装部品４１からの配線４２１のコネクタ４２２を容易に上記電気的接続点（コネクタ接続部）３１に接続することができる。
【００２４】
なお，上記制御基板３２は，上記電気的接続点３１と接続されて上記開閉扉４の上記電装部品４１の制御を行う電装部品制御用基板と，上記パチンコ遊技機１における遊技の制御を行う主基板とにより構成することもできる。この場合には，上記主基板は上記遊技盤３の裏面３０２側に設け，上記電装部品制御用基板は上記開閉扉４の裏面３０２側に設けることができる。そして，上記主基板と上記電装部品制御用基板との接続を上記電気的接続点３１を介して行うことができる。
【００２５】
また，上記開閉扉４の上記電装部品４１の制御は，上記遊技盤３の裏面３０２側に設けた制御基板３２と，上記開閉扉４の裏面４０２側に設けた電装部品制御用基板との両者により行ってもよい。この場合には，例えば，電飾等の電装部品４１の制御は上記電装部品制御用基板により行い，音響装置等の電装部品４１の制御は上記制御基板３２により行うことができる。
【００２６】
（実施例２）
図３，図４に示すごとく，本例の電気的接続点３２２は，上記実施例１に示したごとく上記遊技盤３の前面３０１に固定するのではなく，上記遊技盤３の前面３０１側に延ばされた電線３２１の先端に取り付けている。また，本例の電気的接続点３２２は，上記電線３２１の先端に取り付けたコネクタである。
【００２７】
また，上記電線３２１の一部は，固定具３６によって上記遊技盤３の前面３０１に固定してある。また，本例では，上記開閉扉４の電装基板４２には，上記電気的接続点（コネクタ）３２２を接続するためのコネクタ接続部（図示略）が設けてある。そして，上記電線３２１において上記固定具３６により固定した部分よりも先端側の部分３２３は，上記コネクタ接続部に上記電気的接続点３２２を接続できるよう上記遊技盤３の前面３０１より引き出されている。
【００２８】
本例においては，上記電気的接続点３２２を，上記開閉扉４における電装基板４２のコネクタ接続部まで引き出しておくことができる。そのため，上記開閉扉４の電装基板４２からの上記配線４２１をなくすことができる。その他は，上記実施例１と同様であり，上記実施例１と同様の作用効果を得ることができる。
【００２９】
（実施例３）
図５，図６に示すごとく，本例は，上記電装部品４１を上記開閉扉４に設けるのではなく，上記枠体２の前面２０１に設けた例である。
本例においては，上記遊技盤３の裏面３０２側からの電線３２１を，上記枠体２を経由することなく遊技盤３を経由して枠体２の前面２０１に引き出している。また，本例の電装部品４１は，上記枠体２の前面２０１に配設した電装基板４２に配設してあり，電装基板４２に電気的に接続してある。そして，上記電線３２１は，上記電装基板４２に接続してある。
【００３０】
本例によっても，上記遊技盤３の裏面３０２側における制御基板３２より上記電気的接続点３１まで配線される電線３２１を，上記枠体２を介さずに配線することができる。そのため，上記枠体２に，従来のような中継基板や配線引出し孔を設ける必要がない。
また，本例においても，上記電線３２１は，上記枠体２を経由していないので，上記電気的接続点３１の変更に伴って上記枠体２を変更することは不要である。その他は，上記実施例１と同様であり，上記実施例１と同様の作用効果を得ることができる。
【図面の簡単な説明】
【図１】実施例１における，パチンコ遊技機を示す斜視説明図。
【図２】実施例１における，パチンコ遊技機を示す断面説明図。
【図３】実施例２における，遊技盤における電気的接続点を示す説明図。
【図４】実施例２における，パチンコ遊技機を示す断面説明図。
【図５】実施例３における，パチンコ遊技機を示す斜視説明図。
【図６】実施例３における，パチンコ遊技機を示す断面説明図。
【符号の説明】
１．．．パチンコ遊技機，
２．．．枠体，
３．．．遊技盤，
３０１．．．前面，
４．．．開閉扉，
３１．．．電気的接続点，
３２．．．制御基板，
３２１．．．電線，
４１．．．電装部品，
４２．．．電装基板，
４２１．．．配線，
【図１】
2004024346.tif 000003
【図２】
2004024346.tif 000004
【図３】
2004024346.tif 000005
【図４】
2004024346.tif 000006
【図５】
2004024346.tif 000007
【図６】
2004024346.tif 000008